(57)【要約】【課題】落葉等の可撓性帯状部材への付着・滞留を防止して、排水量の減少を抑制し得るドレンキャップを提供する。【解決手段】排水口Ｄを通水自在に覆うキャップ本体５ａと、キャップ本体５ａの底部から延びて排水口Ｄの内部に挿入され且つキャップ本体５ａを排水口Ｄに固定する複数の可撓性帯状部材９とを備えたドレンキャップ５において、可撓性帯状部材９は、キャップ本体５ａの底縁部から排水口Ｄの内周縁部へ向けて張り出すベース部９ａと、ベース部９ａの先端から外周側へ屈曲して下方に延びるよう形成され且つ挿入時には排水口Ｄの内周面に対して倣うよう押し付けられる挿入押圧部９ｂとを備える。【選択図】図２
0003209114.tif 000002
【実用新案登録請求の範囲】
【請求項１】
排水口を通水自在に覆うキャップ本体と、該キャップ本体の底部から延びて前記排水口の内部に挿入され且つ前記キャップ本体を排水口に固定する複数の可撓性帯状部材とを備えたドレンキャップにおいて、
前記可撓性帯状部材は、前記キャップ本体の底縁部から排水口の内周縁部へ向けて張り出すベース部と、該ベース部の先端から外周側へ屈曲して下方に延びるよう形成され且つ挿入時には前記排水口の内周面に対して倣うよう押し付けられる挿入押圧部とを備えたことを特徴とするドレンキャップ。
【考案の詳細な説明】
【技術分野】
【０００１】
本考案は、ドレンキャップに関するものである。
【背景技術】
【０００２】
一般に、ビルやマンション等の建築物の屋上、バルコニー、共用廊下等には、雨水を排水するための排水口が設けられている。
【０００３】
この種の排水口には、ドレンキャップが取り付けられ、落葉、小枝、紙、又はビニールといった固形物の侵入や物の落下を防止すると共に、排水口が剥き出しになることによって美観を損なうことがないようにしている。
【０００４】
図４は、前記建築物の新築時に排水口に装着されるドレンキャップの一例を示す側断面図である。図４中、１は前記建築物の屋上、バルコニー、共用廊下等を構成するコンクリート躯体であり、該コンクリート躯体１には、竪樋として雨水を排出するための排水管２が貫通する形で設置されている。前記排水管２の上端には、排水口Ｄを形成するドレン本体３が嵌着され、前記コンクリート躯体１の表面は、塩化ビニールシートやアスファルト等の防水層４で被覆され、前記ドレン本体３の排水口Ｄには、ドレンキャップ５と防水層押え部材６が被せられてボルト等の締結部材７により固定されるようになっている。
【０００５】
一方、前記防水層４の経年劣化が進行した場合、防水改修工事が行われる。前記防水改修工事は、既存の防水層４を撤去して新しく防水層４を施工し直す方式か、或いは、既存の防水層４を撤去せずにその上に新しい防水層４を施工する方式のいずれかが選択される。何れの方式の場合も、ドレン本体３はコンクリート躯体１に埋設されたまま撤去されず、防水層押え部材６とドレンキャップ５のみが撤去され、既存のドレン本体３の中に、改修用ドレン８の管状部８ａ（図２及び図３（ｂ）参照）が挿入され、該改修用ドレン８の管状部８ａ上端から外周に張り出す鍔部８ｂ（図２参照）に新しい防水層４が施工され、図５及び図６に示されるような新しい改修用のドレンキャップ５が前記改修用ドレン８の排水口Ｄ（図２参照）に装着される。
【０００６】
前記改修用のドレンキャップ５は、図５及び図６に示される如く、前記改修用ドレン８の排水口Ｄ（図２参照）を通水自在に塞ぐキャップ本体５ａを備え、キャップ本体５ａ内の中心部に、軸線方向へ延びるロッド５ｂが突設されており、該ロッド５ｂの下端部に、二枚の細長いバネ板からなる可撓性帯状部材９が十文字に交差するようビス等の締結部材１０により固定されている。尚、前記キャップ本体５ａには、多数の通水口５ｃが穿設されている。
【０００７】
前記改修用のドレンキャップ５を前記改修用ドレン８の排水口Ｄ（図２参照）に装着する際には、前記各可撓性帯状部材９の両端部を下方へ撓ませて排水口Ｄの内部に挿入し、前記各可撓性帯状部材９をその弾性力により拡張させて前記改修用ドレン８の管状部８ａの内周面に圧接させることにより、キャップ本体５ａを排水口Ｄに固定するようになっている。
【０００８】
尚、前述の如きドレンキャップ５と関連する一般的技術水準を示すものとしては、例えば、特許文献１がある。
【先行技術文献】
【特許文献】
【０００９】
【特許文献１】特開２００６−４５８８１号公報
【考案の概要】
【考案が解決しようとする課題】
【００１０】
しかしながら、前記改修用ドレン８は既存のドレン本体３の中に挿入されるため、当然のことながら、排水口Ｄの内径は一回り小さくせざるを得なくなる。しかも、前述の如き従来のドレンキャップ５では、十文字に交差させた二枚の可撓性帯状部材９を排水口Ｄに挿入する構成のため、図３（ｂ）に示される如く、排水口Ｄを塞いでしまう部分が多くなって、排水量が更に少なくなると共に、落葉等がキャップ本体５ａの通水口５ｃを通り抜けてしまった場合、前記可撓性帯状部材９に引っ掛かりやすくなり、そのまま堆積すると排水口Ｄが詰まって排水障害を起こす虞があった。
【００１１】
因みに、近年のゲリラ豪雨等で、短時間に大量の雨が降った場合、前記排水口Ｄの縮径や詰まりに伴って該排水口Ｄからの排水量が減少していると、屋上がプールのような状態となって、溜まった水の重量がかかることになり、防水層４のひび割れ等から漏水が発生することにもなる。又、バルコニーでプール状態が起きれば、掃出しのサッシから水が室内に侵入する虞もあった。
【００１２】
本考案は、上記従来の問題点に鑑みてなしたもので、落葉等の可撓性帯状部材への付着・滞留を防止して、排水量の減少を抑制し得るドレンキャップを提供しようとするものである。
【課題を解決するための手段】
【００１３】
上記目的を達成するために、本考案のドレンキャップは、排水口を通水自在に覆うキャップ本体と、該キャップ本体の底部から延びて前記排水口の内部に挿入され且つ前記キャップ本体を排水口に固定する複数の可撓性帯状部材とを備え、
前記可撓性帯状部材は、前記キャップ本体の底縁部から排水口の内周縁部へ向けて張り出すベース部と、該ベース部の先端から外周側へ屈曲して下方に延びるよう形成され且つ挿入時には前記排水口の内周面に対して倣うよう押し付けられる挿入押圧部とを備えることができる。
【考案の効果】
【００１４】
本考案のドレンキャップによれば、落葉等の可撓性帯状部材への付着・滞留を防止して、排水量の減少を抑制し得るという優れた効果を奏し得る。
【図面の簡単な説明】
【００１５】
【図１】本考案のドレンキャップの実施例を示す図であって、（ａ）は平面図、（ｂ）は側面図である。
【図２】本考案のドレンキャップの実施例において、ドレンキャップを排水口に装着した状態を示す側断面図であって、図１（ａ）のＩＩ−ＩＩ断面相当図である。
【図３】（ａ）は本考案のドレンキャップの実施例において、ドレンキャップを排水口に装着した状態を示す平断面図、（ｂ）は従来のドレンキャップを排水口に装着した状態を示す平断面図である。
【図４】建築物の新築時に排水口に装着されるドレンキャップの一例を示す側断面図である。
【図５】建築物の改修時に排水口に装着されるドレンキャップの一例を示す斜視図である。
【図６】建築物の改修時に排水口に装着されるドレンキャップの一例を示す側断面図である。
【考案を実施するための形態】
【００１６】
以下、本考案の実施の形態を添付図面を参照して説明する。
【００１７】
図１〜図３（ａ）は本考案のドレンキャップの実施例であって、図中、図４〜図６と同一の符号を付した部分は同一物を表わしている。
【００１８】
本実施例の場合、ドレンキャップ５の可撓性帯状部材９は、図１（ａ）及び図１（ｂ）に示す如く、キャップ本体５ａの底部から延びるよう、該キャップ本体５ａの周方向へ等間隔に三枚配設され、それぞれ、ベース部９ａと、挿入押圧部９ｂとを備えている。尚、前記可撓性帯状部材９は、三枚に限らず、四枚以上の複数枚であっても良い。
【００１９】
前記ベース部９ａは、その基端部がキャップ本体５ａの底縁部にリベット等の締結部材１１により固定され、キャップ本体５ａの底縁部から排水口Ｄ（図２参照）の内周縁部へ向けて張り出すようになっている。
【００２０】
前記挿入押圧部９ｂは、前記ベース部９ａの先端から外周側へ屈曲して下方に延びるよう形成され、図２及び図３（ａ）に示す如く、改修用ドレン８に対して挿入できるようになっている。
【００２１】
尚、図２には、既存のドレン本体３の中に、改修用ドレン８の管状部８ａを挿入し、該改修用ドレン８の管状部８ａ上端から外周に張り出す鍔部８ｂに新しい防水層４を施工した場合に、前記ベース部９ａと挿入押圧部９ｂとを備えたドレンキャップ５を改修用として前記改修用ドレン８の排水口Ｄに装着する例を示している。
【００２２】
次に、上記実施例の作用を説明する。
【００２３】
前記ベース部９ａと挿入押圧部９ｂとを備えたドレンキャップ５を前記改修用ドレン８の排水口Ｄに装着する際には、前記各可撓性帯状部材９の挿入押圧部９ｂの下端部を中心側へ撓ませて排水口Ｄの内部に挿入すると、前記各可撓性帯状部材９がその弾性力により拡張して前記改修用ドレン８の管状部８ａの内周面に圧接することにより、キャップ本体５ａが排水口Ｄに固定される。
【００２４】
ここで、前記挿入押圧部９ｂは、図２及び図３（ａ）に示す如く、その挿入時に前記排水口Ｄの内周面（改修用ドレン８の内周面）に対して倣うように押し付けられる。
【００２５】
これにより、前記改修用ドレン８は既存のドレン本体３の中に挿入されるため、排水口Ｄの内径は一回り小さくせざるを得なくなっているものの、十文字に交差させた二枚の可撓性帯状部材９を排水口Ｄに挿入する構成を採用している従来のドレンキャップ５とは異なり、図３（ｂ）と比較しても明らかなように、排水口Ｄを塞いでしまう部分がほとんどなくなって、排水量が確保される。又、落葉等がキャップ本体５ａの通水口５ｃを通り抜けてしまった場合も、前記可撓性帯状部材９に引っ掛かることはなく、排水口Ｄが詰まって排水障害を起こすことが避けられる。
【００２６】
因みに、近年のゲリラ豪雨等で、短時間に大量の雨が降った場合も、前記排水口Ｄからの排水量の減少は、前記改修用ドレン８の縮径に伴うものに限定されているため、屋上がプールのような状態とならず、防水層４のひび割れ等から漏水が発生するようなことも起こりにくくなる。又、バルコニーでも同様にプール状態が起きにくくなり、掃出しのサッシから水が室内に侵入する可能性も低くなる。
【００２７】
尚、前記ドレンキャップ５は、防水改修工事の際に施工される改修用ドレン８（排水口Ｄ）に取り付ける場合の例について説明したが、排水口Ｄであれば新築時のドレン本体３或いは排水管２等にも適用可能であることは言うまでもない。
【００２８】
こうして、落葉等の可撓性帯状部材９への付着・滞留を防止して、排水量の減少を抑制し得る。
【００２９】
尚、本考案のドレンキャップは、上述の実施例にのみ限定されるものではなく、本考案の要旨を逸脱しない範囲内において種々変更を加え得ることは勿論である。
【符号の説明】
【００３０】
２        排水管
３        ドレン本体
４        防水層
５        ドレンキャップ
５ａ      キャップ本体
５ｃ      通水口
８        改修用ドレン
９        可撓性帯状部材
９ａ      ベース部
９ｂ      挿入押圧部
Ｄ        排水口
【図１】
0003209114.tif 000003
【図２】
0003209114.tif 000004
【図３】
0003209114.tif 000005
【図４】
0003209114.tif 000006
【図５】
0003209114.tif 000007
【図６】
0003209114.tif 000008